(57)【要約】【課題】ロックピンを押えるばね手段の組付け性の簡素化を図ると共に部品数の削減を図り得る。【解決手段】図示しないスイッチベースにはカム溝が形成されている。操作子４には弾性片部９が一体に弾性変形可能に形成されている。この弾性片部９の軸部９ａにはロックピン１０のリング部１０ａが回動可能に取り付けられている。上記弾性片部９はロックピン１０の先端部１０ｂをカム溝底部方向に押圧付勢する。【選択図】  図１
2004193046.tif 000002
【特許請求の範囲】
【請求項１】
装置本体に往復移動可能に取付けられその移動によりスイッチ部を動作させる操作子と、
前記装置本体と操作子とのうちの一方の部材に設けられたカム溝と、
前記装置本体と操作子とのうち前記カム溝が設けられていない側の部材に一体に弾性変形可能に形成された弾性片部と、
この弾性片部に回動可能に取り付けられ、該弾性片部により前記カム溝底部方向に押圧付勢され、前記操作子の操作に伴い前記カム溝内方向を摺動して前記操作子を二つの位置で係脱可能に保持するロックピンと
を備えてなることを特徴とするスイッチ装置。
【請求項２】
弾性片部に軸部が形成され、ロックピンの基部にこの軸部に回動可能に嵌合するリング部が形成され、前記軸部の根元の一部にこのリング部の抜け止めをする凹部が形成されていることを特徴とする請求項１記載のスイッチ装置。
【発明の詳細な説明】
【０００１】
【発明の属する技術分野】
本発明は、カム溝及びロックピンなどを備えて操作子を二つの位置に保持する機能を備えたスイッチ装置に関する。
【０００２】
【従来の技術】
いわゆるプッシュロック式のスイッチ装置においては、次のような構成のものである。装置本体に移動可能に取付けられる操作子の一方に、例えばハート型のカム溝を形成し、他方に、操作子の移動に伴いこのカム溝を摺動して、該操作子を二つの位置（原位置と押し込み位置）に保持するロックピンを設け、さらに、このロックピンをカム溝側に付勢する押えばねを、このロックピンと共に設けている(例えば特許文献１)。
【０００３】
【特許文献１】
特開２００１−１４９７１０（図１）
【０００４】
【発明が解決しようとする課題】
図６には、上記従来構成における操作子のロックピン及び押えばね部分を示している。ロックピン５１の基端部５１ａは図示しない操作子に設けられていて、操作子及びこの基端部５１ａは矢印Ｈ方向及びその反対方向へ移動可能である。このロックピン５１の先端部５１ｂが装置本体５２のカム溝５３に摺接する。押えばね５３は線状をなしていて、両端部が装置本体５２の嵌合孔５４，５４に差込み嵌合されている。この押えばね５３はロックピン５１をカム溝５３側へ付勢するためのものである。
【０００５】
この従来構成において、押さえばね５３を両側の嵌合孔５４、５４に差し込む作業が面倒であり、また押さえばね５３を差し込む際に落としたり、紛失したりして組付け作業性が悪い。また部品点数も多い。さらに、押さえばねとロックピンとが別々の部材に分かれて取り付けられるため、これまた、組付け性が悪いという問題がある。
【０００６】
本発明は上記事情に鑑みてなされたものであり、その目的は、ロックピンを押えるばね手段の組付け性の簡素化を図ると共に部品数の削減を図り得るスイッチ装置を提供するにある。
【０００７】
【課題を解決するための手段】
請求項１の発明は、装置本体に往復移動可能に取付けられその移動によりスイッチ部を動作させる操作子と、
前記装置本体と操作子とのうちの一方の部材に設けられたカム溝と、
前記装置本体と操作子とのうち前記カム溝が設けられていない側の部材に一体に弾性変形可能に形成された弾性片部と、
この弾性片部に回動可能に取り付けられ、該弾性片部により前記カム溝底部方向に押圧付勢され、前記操作子の操作に伴い前記カム溝内方向を摺動して前記操作子を二つの位置で係脱可能に保持するロックピンと
を備えてなるところに特徴を有する。
【０００８】
この請求項１の発明においては、ロックピンをカム溝側へ付勢するばね手段として、装置本体と操作子とのうち前記カム溝が設けられていない側の部材に一体に且つ弾性変形可能に弾性片部を形成したので、ばね手段の組付けを省き得、しかも部品数の削減を図り得る。しかも、この弾性片部にロックピンを設けるので、この弾性片部及びロックピンの双方を装置本体あるいは操作子の一方にまとめて設けることができて、これによっても組付け性の簡単化を図ることができる。なお、ロックピンは弾性片部に回動可能に設けられているので、カム溝に応じた動きが支障なくできるものである。
【０００９】
請求項２の発明は、弾性片部に軸部が形成され、ロックピンの基部にこの軸部に回動可能に嵌合するリング部が形成され、前記軸部の根元の一部にこのリング部の抜け止めをする凹部が形成されているところに特徴を有する。
【００１０】
この請求項２の発明においては、ロックピンのがたつきない回動を可能にしながら、該ロックピンの抜け止めを行うことができる。
【００１１】
【発明の実施の形態】
以下、本発明の一実施例につき図１ないし図５を参照して説明する。図２には、プッシュロック式のスイッチ装置の断面図が示されており、この図２において、筒状をなすスイッチケース１にインシュレータ２が固定状態に設けられており、これらスイッチケース１とインシュレータ２とから装置本体たるスイッチベース３が構成されている。
【００１２】
このスイッチベース３内に、合成樹脂製の操作子４が図２中、上下方向に往復移動可能に配設されている。この操作子４とスイッチケース１との間には、圧縮コイルばねからなる復帰用ばね５が配設されていて、この復帰用ばね５の付勢力により、操作子４は原位置方向である図２中矢印Ａ方向に付勢されている。操作子４の図２中、上部にはノブ６が取付けられている。
【００１３】
上記スイッチベース３のインシュレータ２と操作子４との間には、ロック機構７が設けられている。このロック機構７は、インシュレータ２において操作子４と対向する面に設けられたカム溝８（図４参照）と、図１にも示すばね手段たる弾性片部９と、ロックピン１０とから構成されている。
【００１４】
このうち、カム溝８には、図４に示すように、中央部にハート形の凸部１１が形成されていて、その凸部１１に、ほぼＶ字形の係合部１２が形成されている。また、カム溝８の底部には段差８ａや斜面８ｂが形成されている。
【００１５】
弾性片部９は、図１に示すように、スイッチベース３と操作子４とのうち、カム溝８が設けられていない側の部材である操作子４に一体に矢印Ｂ方向及びその反対方向へ弾性変形可能に形成されている。この場合、図５にも示すように操作子４の下部から薄板状をなして上方へ延出されており、その先端部におけるカム溝８側の面には円柱状の軸部９ａが形成されていると共に、その両側にリブ部９ｂ、９ｂが形成されている。上記軸部９ａの根元の一部この場合下部には平坦な凹部９ｃが形成されている。この弾性片部９は、スイッチ装置の組立て状態でロックピン１０をカム溝８底部方向に押圧付勢する構成となっている。
【００１６】
上記ロックピン１０は、Ｌ字状をなしていて、その基部にはリング部１０ａが形成されている。このリング部１０ａの内径寸法は前記軸部９ａの外形寸法よりわずかに大きく設定されている。このリング部１０ａがこの軸部９ａに回動可能に嵌合されることにより、ロックピン１０が弾性片部９に回動可能に且つほとんどがたつきなく取り付けられている。このとき、ロックピン１０は弾性片部９の先端より出るように設けられるものであり、前記リブ部９ｂ、９ｂは、ロックピン１０の回動範囲を規制して、弾性片部９の基端部側へ回らないようにしている。
【００１７】
しかして、スイッチ装置の組立て状態では、弾性片部９は、自由状態よりも矢印Ｂ方向（図２参照）へ弾性変形しており、もって、この弾性片部９は、スイッチ装置の組立て状態でロックピン１０をカム溝８底部方向に押圧付勢する構成となっている。
【００１８】
操作子４において、ロックピン１０の図２中、下方にはばね収容部４ａが形成されていて、可動接点１３が、そのばね収容部４ａに収容された圧縮コイルばねからなるばね部材１４によりインシュレータ２側に付勢して設けられている。インシュレータ２において上記可動接点１３が摺動する面には、その可動接点１３が接離する固定接点１５が設けられている。これら可動接点１３と固定接点１５とによりスイッチ部１６を構成している。
【００１９】
なお、図２は操作子４が原位置にある状態が示されており、この状態では、可動接点１３が固定接点１５から離間していて、スイッチ部１６はオフ状態となっている。この図２の状態から、操作子４を復帰用ばね５の付勢力に抗して矢印Ａとは反対方向へ押圧操作すると、操作子４が同方向へ移動すると共に、ロックピン１０の先端部１０ｂがカム溝８に沿って摺動し、そして、操作子４に対する押圧力を解除すると、操作子４が矢印Ａ方向に戻りながら、ロックピン１０の先端部１０ｂがカム溝８の係合部１２に係合し、これにより操作子４が押し込み位置に保持されるようになる。このとき、可動接点１３が固定接点１５に接触し、スイッチ部１６はオン状態となる。なお、ロックピン１０は弾性片部９に回動可能に設けられているので、カム溝８に応じた動きが支障なくできるものである。
【００２０】
この後、操作子４を矢印Ａとは反対方向へ再度押圧操作すると、操作子４が同方向へ移動しながらロックピン１０の先端部１０ｂの係合部１２に対する係合が外れ、そして、操作子４に対する押圧力を解除すると、復帰用ばね５の付勢力により操作子４が原位置に復帰されると共に、ロックピン１０の先端部１０ｂがカム溝８に沿って摺動し、元の位置に戻り、スイッチ部１６がオフ状態となる。
【００２１】
なお、ロックピン１０がカム溝８を摺動する時に図１の矢印Ｃ方向へ動こうとするがそのリング部１０ａが軸部９ａの凹部９ｃに係合し、ロックピン１０の軸部９ａからの抜け止めがなされる。
【００２２】
このような本実施例によれば、ロックピン１０をカム溝８側へ付勢するばね手段として、スイッチベース３と操作子４とのうち前記カム溝８が設けられていない側の操作子４に一体に弾性変形可能な弾性片部９を形成したので、ばね手段の組付けを省き得、しかも部品数の削減を図り得る。しかも、この弾性片部９にロックピン１０を設けるので、この弾性片部９及びロックピン１０を操作子４にまとめて設けることができて、これによっても組付け性の簡単化を図ることができる。
【００２３】
また、本実施例によれば、弾性片部９に軸部９ａを形成し、ロックピン１０の基部にこの軸部９ａに回動可能に嵌合するリング部１０ａを形成し、前記軸部９ａの根元の一部にこのリング部１０ａの抜け止めをする凹部９ｃを形成したから、ロックピン１０のがたつきない動きを可能にしながら、該ロックピン１０の抜け止めを行うことができる。
【００２４】
なお、上記実施例では、カム溝を装置本体たるスイッチベースに設け、弾性片部及びロックピンを操作子に設けたが、それらは、逆に設けるようにしても良い。
【００２５】
【発明の効果】
本発明は以上の説明から明らかなように、組付け性の簡単化を図ると共に部品数の削減を図り得るといった優れた効果を奏する。
【図面の簡単な説明】
【図１】本発明の一実施例を示し、操作子を取付け前の状態で示す部分的斜視図
【図２】全体の縦断側面図
【図３】操作子の正面図
【図４】カム溝の正面図
【図５】弾性片部及びロックピン部分の斜視図
【図６】従来例を示す図１相当図
【符号の説明】
２はインシュレータ、３はスイッチベース（装置本体）、４は操作子、４ａは嵌合孔部、７はロック機構、８はカム溝、９は弾性片部、９ａは軸部、９ｃは凹部、１０はロックピン、１０ａはリング部、１６はスイッチ部を示す。
【図１】
2004193046.tif 000003
【図２】
2004193046.tif 000004
【図３】
2004193046.tif 000005
【図４】
2004193046.tif 000006
【図５】
2004193046.tif 000007
【図６】
2004193046.tif 000008